(57)【要約】【課題】  紫外線や可視光によって虫を誘引して捕殺するための誘虫装置であっても、効果の大きなものはなかった。そこで、虫の注意を引き、より誘引効果の大きいものを提供する。【解決手段】  波長２３０〜４００ｎｍの電磁波を放射する紫外線用ＬＥＤを少なくとも１つと、波長４００ｎｍ以上の電磁波を放射する可視光用ＬＥＤを少なくとも１つ有し、該紫外線用ＬＥＤと可視光用ＬＥＤの両方を点滅させるものであって、該紫外線用ＬＥＤの点滅周波数と該可視光用ＬＥＤの点滅周波数が異なるもの。【選択図】  図１
2017195788.tif 000002
【特許請求の範囲】
【請求項１】
波長２３０〜４００ｎｍの電磁波を放射する紫外線用ＬＥＤを少なくとも１つと、波長４００ｎｍ以上の電磁波を放射する可視光用ＬＥＤを少なくとも１つ有し、該紫外線用ＬＥＤと可視光用ＬＥＤの両方を点滅させるものであって、該紫外線用ＬＥＤの点滅周波数と該可視光用ＬＥＤの点滅周波数が異なることを特徴とする誘虫装置。
【請求項２】
該紫外線用ＬＥＤの点滅周波数が、該可視光用ＬＥＤの点滅周波数より少ないものである請求項１記載の誘虫装置。
【請求項３】
該紫外線用ＬＥＤの点滅周波数が、１秒間に０．２〜５０回であり、該可視光用ＬＥＤの点滅周波数が１秒間に５０回以上である請求項１又は２記載の誘虫装置。
【請求項４】
該可視光用ＬＥＤは、種類の異なるものを複数用いるものである請求項１乃至３のいずれか１項記載の誘虫装置。
【請求項５】
該紫外線用ＬＥＤは、種類の異なるものを複数用いるものである請求項１乃至４のいずれか１項記載の誘虫装置。
【発明の詳細な説明】
【技術分野】
【０００１】
本発明は、誘虫装置に関するものである。
【背景技術】
【０００２】
誘虫装置は、捕虫（殺虫を含む）器等に使用されるもので、虫（主として飛翔昆虫）が好む電磁波を放射して虫を引き付けるものである。虫の視覚としては、２４０ｎｍ〜５６０ｎｍの広い波長域の電磁波を感知する。このうち、２４０ｎｍ〜４００ｎｍは紫外線の領域であり、人間には感知できない範囲である。
【０００３】
よって、虫は上記した感知可能な電磁波が放射（反射も含む）され、放射している物体が認識できるものの方に向かう傾向がある。特に、交尾のため同種のものが集まる光（電磁波）のもとに向かってより進むことは容易に想像がつく。このように考えると、電磁波であっても、より好む波長があるのである。言い換えれば、感度の高い電磁波の領域があるということであり、昆虫の種類によって好む波長も微妙に異なる。
【０００４】
また、動物は一般に、静止しているものより、運動しているものの方が認識しやすい。よって、誘虫効果を上げるためには誘虫ランプを動かすことが望ましい。しかし、動かすためにはモーターその他の稼動装置が必要であり、費用が嵩むだけでなく故障の原因ともなる。
【０００５】
そのため、近時誘虫装置（ランプ）を点滅させることが考えられてきている。点滅させることによって、動きと同様誘虫効果が向上するといわれているためである（特許文献１）。
【０００６】
また、虫は３７０ｎｍ程度の紫外線を好む（感知する）ものが多いが、前記した通り紫外線だけを感知するのではなく、可視光の範囲も感知する。よって、可視光と紫外線の両方を放射するものも、特許文献２のように考えられている。
しかし、まだ、これらの先行技術では誘虫効果としては乏しい面がある。
【先行技術文献】
【特許文献】
【０００７】
【特許文献１】特開２００４−２７５０７０号公報
【特許文献２】特開２００９−２６８４３８号公報
【発明の概要】
【発明が解決しようとする課題】
【０００８】
そこで、本発明では、簡単な装置で、紫外線と可視光の混合電磁波を用いて虫を効率よく引き付けるものを提供する。
【課題を解決するための手段】
【０００９】
以上のような状況に鑑み、本発明者は鋭意研究の結果本発明誘虫装置を完成したものであり、その特徴とするところは、波長２３０〜４００ｎｍの電磁波を放射する紫外線用ＬＥＤを少なくとも１つと、波長４００ｎｍ以上の電磁波を放射する可視光用ＬＥＤを少なくとも１つ有し、該紫外線用ＬＥＤと可視光用ＬＥＤの両方を点滅させるものであって、該紫外線用ＬＥＤの点滅周波数と該可視光用ＬＥＤの点滅周波数が異なる点にある。
【００１０】
本発明において誘虫装置とは、虫の好む波長の電磁波を放射して虫を寄せ集めるものである。集める目的は自由である。捕虫、行かせたくない所から離すため、その他である。
【００１１】
波長２３０〜４００ｎｍの電磁波とは、一般的には紫外線と呼ばれる電磁波である。特に３６５ｎｍ前後が重要であり、その付近の電磁波を好む虫が多い。
本発明誘虫装置では、前記波長２３０〜４００ｎｍの電磁波を放射するＬＥＤが少なくとも１つあればよいが、実際には多数用いるのが普通である。例えば、２０〜１００個等である。
また、同じものでなく、異なる波長の紫外線を照射するものを複数種用いてもよい。例えば、２３０ｎｍのＬＥＤと３６５ｎｍのＬＥＤをどちらも多数使用する等である。
【００１２】
異なる種類を用いる利点は、虫により好む波長が異なるため、より多種の虫を誘引することができることと、本来的に種々の波長が混合されているものの方が集まりやすいためである。人間も単色の光よりも、種々混合された白色の方が好ましいのと同様である。
【００１３】
通常の光源ならば、広い範囲の波長の電磁波（光）を混合光として放射しているが、ＬＥＤの場合、非常に狭い範囲の波長の電磁波を放射する。よって、ＬＥＤによって、そのＬＥＤはどの波長の電磁波を放射するかが決まっている。その放射波長幅は一定ではないが、ピークの高い部分で２０ｎｍ〜５０ｎｍ程度、低い部分でも５０〜１５０ｎｍといわれている。本発明で波長という語は、このときの中心波長を指している。
【００１４】
また、可視光用ＬＥＤも同様であり、波長４００ｎｍ以上の電磁波を照射するものである。これも前記同様、複数種のものを用いてもよい。例えば、青色、緑色、赤色等である。虫によって好む色が異なるため、複数用いた方が誘虫効果が大きい。
【００１５】
このＬＥＤが自動点滅するのが本発明のポイントである。しかし、単に点滅するのではなく、紫外線用ＬＥＤと可視光用ＬＥＤとが同時に点滅するのではなく、異なる周波数にしている。この理由は、虫は、可視光も紫外線も感知できるため、点灯タイミングが異なるとより刺激を受けると考えられるためである。
【００１６】
さらに、紫外線用ＬＥＤは、可視光用ＬＥＤよりもその点滅の周波数を小さくするのがよい。これは、点滅の周波数は可視光の場合でも、一定以上になると人間には点滅していることが認識できなくなる。蛍光灯でも１秒間に５０回点滅するとそれが点滅しているかどうかはわからない。よって、点滅周波数（点滅回数、１秒間に点灯する回数）は虫にとっては、認識が容易なようにある程度小さいほうがよい。例えば、１秒間に０．２回〜５０回、より好適には０．２〜２０回程度である。
【００１７】
しかし、人間にとっては紫外線は感知できないため、どのような周波数でもよいが、可視光の場合、点滅周波数が小さいと、その点滅が認識でき、非常に不快である。よって、可視光の点滅周波数は人間に感知できない程度以上の周波数が好ましい。
【００１８】
人間が感知できない周波数は明確ではないが、おおよそ３０〜４０回／秒といわれている。よって、人間に感知できないようにするには少なくとも４０回／秒以上（好ましくは５０回／秒）の周波数が好ましい。虫は、５０回／秒程度でも可視光の点滅が認識できるとも言われている。
【００１９】
結局、虫にだけ感知できる紫外線はゆっくり点滅し、人間が感知できて点滅を不快に思う可視光は速く（人間に感知できない程度）点滅するのが好適である。
【００２０】
さらに、紫外線用ＬＥＤを複数種（異なる波長）用いるものでは、それぞれの点滅周波数を変えてもよい。例えば、２４０ｎｍのものは２回／秒、３２０ｎｍのものは１０回／秒、３６５ｎｍのものは２０回／秒等である。それぞれ、点灯するタイミングが異なるため、非常に目立つものと考えられる。
【００２１】
点滅させる方法は、交流電源であれば自動的に点滅するが、その回数を調整するにはインバーターを使用すればよい。勿論、点滅させる方法や回路は自由である。
【００２２】
本発明誘虫装置としては、紫外線用ＬＥＤと可視光用ＬＥＤの並べ方や数の比は自由である。まったくランダムに並べても、一定の規則で可視光と紫外線を並べてもよい。また、紫外線用ＬＥＤと可視光用ＬＥＤの数の比は、その虫によっても異なるものである。また、紫外線用ＬＥＤの出力が弱いということも（勿論逆も）あるため、それらを加味して数を調整してもよい。例えば、比率として紫外線用ＬＥＤ対可視光用ＬＥＤが、１０：１〜１：１０等である。
また、点滅しないＬＥＤやその他のランプを設けてもよい。波長も自由である。
【００２３】
本発明誘虫装置は、通常の捕虫機その他に誘虫ランプや紫外線ランプその他の発光体の替わりに使用できる。勿論、捕虫機以外に使用しても問題はない。
【発明の効果】
【００２４】
本発明誘虫装置には次のような大きな利点がある。
（１）  紫外線が点滅しているため、虫には検知しやすく、非常に気になるものである。よって、誘虫効果が大きい。
（２）  紫外線は点滅しても人にはわからないため不快感はない。
（３）  可視光も発するものでは、誘虫効果がより大きくなる。
【図面の簡単な説明】
【００２５】
【図１】本発明誘虫装置の１例を示す平面図である。
【発明を実施するための形態】
【００２６】
以下実施例に基づいて、本発明をより詳細に説明する。以下に示す実施例は１例であって、本発明をこれに限定するものではない。
図１は、本発明誘虫装置１の基盤２に３種のＬＥＤを交互に配置した平面図である。この例では、ＬＥＤは、基盤２の１面に平面的に配置されている。この例では、ＬＥＤ−Ａ３の放射電磁波の波長は２３０ｎｍで、ＬＥＤ−Ｂ４の放射電磁波の波長は３６５ｎｍ、ＬＥＤ−Ｃ５の波長は４７０ｎｍであった。
この例では２列であるが、３列以上でも問題はない。
【００２７】
この例のＬＥＤの周波数は、ＬＥＤ−Ａは２回／秒、ＬＥＤ−Ｂは１０回／秒、ＬＥＤ−Ｃは５０回／秒である。紫外線はゆっくりと点滅し、虫に対してより認識容易にし、可視光は人間には点滅がわからないようにしている。
【００２８】
これを種々の飛翔昆虫に対して誘虫効果を試したが、相当の効果が認められた。
【符号の説明】
【００２９】
１  誘虫装置
２  基盤
３  ＬＥＤ−Ａ
４  ＬＥＤ−Ｂ
５  ＬＥＤ−Ｃ
【図１】
2017195788.tif 000003